(57)【要約】【課題】            既設の開閉装置に対し、駆動源の動力によって開閉体を開閉動作させるための機構を容易に設置する。【解決手段】        回転駆動源２０の出力軸２１に接続可能な駆動回転体１１と、該駆動回転体１１から回転力を伝達されて回転する従動回転体１２と、これら駆動回転体１１と従動回転体１２とをそれぞれ回転可能に支持するベース部材１３とを具備し、前記従動回転体１２は、開閉装置の開閉動作に伴って回転する部位に連結されるように構成され、前記ベース部材１３は、不動部位に対し固定されるように構成されている。【選択図】          図１
2008138399.tif 000002
【特許請求の範囲】
【請求項１】
回転駆動源の出力軸に接続可能な駆動回転体と、該駆動回転体から回転力を伝達されて回転する従動回転体と、これら駆動回転体と従動回転体とをそれぞれ回転可能に支持するベース部材とを具備し、
前記従動回転体は、開閉装置の開閉動作に伴って回転する部位に連結されるように構成され、
前記ベース部材は、不動部位に対し固定されるように構成されていることを特徴とする開閉装置用後付け駆動ユニット。
【請求項２】
上記ベース部材および上記従動回転体は、開閉装置の開閉体を巻き取るための巻取軸の回転部位に対し略同軸状に設けられ、
上記ベース部材には、不動部位に対し嵌合されることで、該ベース部材が前記巻取軸の周方向へ回るのを阻む回止め部材が設けられていることを特徴とする請求項１記載の開閉装置用後付け駆動ユニット。
【請求項３】
上記回止め部材は、周方向の位置が調整可能となるように設けられていることを特徴とする請求項２記載の開閉装置用後付け駆動ユニット。
【請求項４】
請求項２又は３何れか記載の開閉装置用後付け駆動ユニットと、該ユニットの駆動回転体に接続可能な回転駆動源と、該ユニットの従動回転体が接続可能な交換用巻取軸とを備えたことを特徴とする開閉装置用後付け駆動ユニット装着セット。
【請求項５】
上記交換用巻取軸の端部が支持される巻取軸支持アダプターを備えた開閉装置用後付け駆動ユニット装着セットであって、
前記巻取軸支持アダプターは、不動部位に固定された際の上記開閉装置用後付け駆動ユニットに挿通されて、該開閉装置用後付け駆動ユニットよりも交換用巻取軸側に突出するように構成されていることを特徴とする請求項４記載の開閉装置用後付け駆動ユニット装着セット。
【請求項６】
既設の巻取軸を取り外し、
不動部位に上記巻取軸支持アダプターを固定し、
固定された巻取軸支持アダプターに上記開閉装置用後付け駆動ユニットを環装し、
同巻取軸支持アダプターに上記交換用巻取軸を接続するとともに、この交換用巻取軸と上記開閉装置用後付け駆動ユニットとを接続し、
上記駆動回転体に上記回転駆動源を接続するようにしたことを特徴とする請求項５記載の開閉装置用後付け駆動ユニット装着セットの装着方法。
【発明の詳細な説明】
【技術分野】
【０００１】
本発明は、スクリーンシャッター装置やオーバーヘッドドアを含むシャッター装置、ロールスクリーン装置、ブラインド、オーニング装置等、開閉体をスライドさせて開閉動作するようにした開閉装置に対し後付けされる開閉装置用後付け駆動ユニット及び開閉装置用後付け駆動ユニット装着セット並びに該セットの装着方法に関するものである。
【背景技術】
【０００２】
従来、開閉装置には、特許文献１の第１図に示されるように、開閉体（スラット２）を手で持ち上げるようにして開放し、同開閉体（スラット２）を手で下げるようにして閉鎖動作するようにした開閉装置がある。
この開閉装置によれば、前記開放動作の際の力が撚りスプリング（６）の付勢力により補助されるため、使用者が開閉体を手軽に開放することができる。
【０００３】
ところで、上記のような手動式の開閉装置が既設されている現場では、例えば使用者の高齢化等の理由により、開閉体を電動で開閉可能にすることが求められている。
そこで、既設の手動式開閉装置に電動機構を後付けして、該手動式開閉装置を電動で開閉可能にすることが提案される。
【０００４】
しかしながら、開閉体を電動で開閉可能にするためには、回転比の異なる複数のスプロケットや、これらスプロケットの支持軸、これらスプロケット間に巻かれるチェーン等、多種類の部品を後付けで新設する必要があり、容易ではない。
【特許文献１】実開平４−６４９４号公報
【発明の開示】
【発明が解決しようとする課題】
【０００５】
本発明は上記従来事情に鑑みてなされたものであり、その課題とする処は、既設の開閉装置に対し、回転駆動源の動力によって開閉体を開閉動作させるための機構を容易に設置することができる開閉装置用後付け駆動ユニット及び開閉装置用後付け駆動ユニット装着セット並びに該セットの装着方法を提供することにある。
【課題を解決するための手段】
【０００６】
上記課題を解決するために第一の発明の開閉装置用後付け駆動ユニットは、回転駆動源の出力軸に接続可能な駆動回転体と、該駆動回転体から回転力を伝達されて回転する従動回転体と、これら駆動回転体と従動回転体とをそれぞれ回転可能に支持するベース部材とを具備し、前記従動回転体は、開閉装置の開閉動作に伴って回転する部位に連結されるように構成され、前記ベース部材は、不動部位に対し固定されるように構成されていることを特徴とする。
【０００７】
当該開閉装置用後付け駆動ユニットは、手動で開閉体を開閉する開閉装置に装着されて該開閉装置を回転駆動源の動力によって開閉できるようにするものであるが、例えば、電動で開閉体を開閉する開閉装置の駆動機構が故障した際に、該駆動機構の交換部品として用いることも可能である。
【０００８】
また、上記回転駆動源は、電動で出力軸を回転するようにした機構であるのが好ましいが、エアーモータ等、電動以外の駆動力により出力軸を回転させる機構であってもよい。
【０００９】
また、上記駆動回転体の回転力を上記従動回転体に伝達する機構の具体例としては、駆動スプロケット又は駆動ホイールの回転力をチェーンやベルト等によって従動スプロケット又は駆動ホイールに伝達するようにした動力伝達機構や、複数の歯車を噛み合わせてなる動力伝達機構等が挙げられる。
【００１０】
また、上記ベース部材の具体例としては、上記駆動回転体と上記従動回転体とをそれぞれ独立して支持する軸部を一体的に備えた構成等が挙げられる。
【００１１】
また、「開閉装置の開閉動作に伴って回転する部位」という構成は、好ましくは開閉装置の開閉体を巻き取ったり繰り出したりするために回転する巻取軸とされるが、他例としては、該巻取軸と連動して回転する部材としてもよい。
更に、この構成は、開閉体を巻き取ることなく収納するようにした開閉装置において、該開閉体を開閉動作させるために回転する部位であってもよく、例えば、オーバーヘッドドアの開閉体を回転式電動機によって開閉させるようにした機構において、該回転式電動機の出力軸や、該出力軸に連動する歯車やスプロケット等とすることも可能である。
【００１２】
また、上記不動部位とは、開閉装置の開閉動作に伴って回転する部位に対し、不動な部位であればよく、この不動部位には、例えば、開閉体を巻き取るための巻取軸および該巻取軸に巻かれる開閉体を収納する収納ケースや、開閉装置の設置対象となる躯体等が挙げられる。
【００１３】
また、第二の発明の開閉装置用後付け駆動ユニットでは、上記ベース部材および上記従動回転体は、開閉装置の開閉体を巻き取るための巻取軸の回転部位に対し略同軸状に設けられ、上記ベース部材には、不動部位に対し嵌合されることで、該ベース部材が前記巻取軸の周方向へ回るのを阻む回止め部材が設けられていることを特徴とする。
【００１４】
ここで、上記巻取軸は、不動部位に固定された固定軸に対しその周囲の巻取体を回転させる態様とするのが好ましいが、他例としては、巻取体の端部が不動部位に対し回転可能に支持された態様とすることも可能である。
【００１５】
また、第三の発明の開閉装置用後付け駆動ユニットでは、上記回止め部材は、周方向の位置が調整可能となるように設けられていることを特徴とする。
【００１６】
この第三の発明に係わる回止め部材の具体例としては、複数の止着孔が選択的に用いられて上記ベース部材に止着されることにより、周方向の位置を調整可能にした態様や、周方向に回転して所定角度毎に係止されるようにした態様等が挙げられる。
【００１７】
また、第四の発明の開閉装置用後付け駆動ユニット装着セットでは、上記開閉装置用後付け駆動ユニットと、該ユニットの駆動回転体に接続可能な回転駆動源と、該ユニットの従動回転体が接続可能な交換用巻取軸とを備えたことを特徴とする。
【００１８】
また、第五の発明の開閉装置用後付け駆動ユニット装着セットでは、上記交換用巻取軸の端部が支持される巻取軸支持アダプターを備えた開閉装置用後付け駆動ユニット装着セットであって、前記巻取軸支持アダプターは、不動部位に固定された際の上記開閉装置用後付け駆動ユニットに挿通されて、該開閉装置用後付け駆動ユニットよりも交換用巻取軸側に突出するように構成されていることを特徴とする。
【００１９】
ここで、上記巻取軸支持アダプターは、上記巻取軸が固定軸の周囲で巻取体を回転させる態様である場合に、その固定軸の端部が連結固定される構成としてもよいし、上記巻取軸全体が不動部位に対し回転する態様とした場合に、この回転する巻取軸の端部を回転自在に支持する構成としてもよい。
【００２０】
また、第六の発明の開閉装置用後付け駆動ユニット装着セットの装着方法では、既設の巻取軸を取り外し、不動部位に上記巻取軸支持アダプターを固定し、固定された巻取軸支持アダプターに上記開閉装置用後付け駆動ユニットを環装し、同巻取軸支持アダプターに上記交換用巻取軸を接続するとともに、この交換用巻取軸と上記開閉装置用後付け駆動ユニットとを接続し、上記駆動回転体に上記回転駆動源を接続するようにしたことを特徴とする。
【発明の効果】
【００２１】
本発明は、以上説明したように構成されているので、以下に記載されるような作用効果を奏する。
第一の発明によれば、既設の手動式開閉装置に対し当該開閉装置用後付け駆動ユニットを装着するだけで、駆動回転体と従動回転体とを具備した動力伝達機構を容易に新設することができる。
したがって、例えば、不動部位に直接支持軸を二つ設置し、その各支持軸に駆動回転体や従動回転体を設置するという段階的な作業や、回転駆動源の設置部を新たに設ける作業等を必要とせず、既設の開閉装置に対し、回転駆動源の動力によって開閉体を開閉動作させるための機構を容易に設置することができる。
また、駆動機構がユニット化されているため、当該駆動ユニットを新規に製造される開閉装置の部品として用いた場合でも、組み立て工程の簡素化による生産性の向上や、コスト低減等の効果を得ることができる。
【００２２】
更に、第二の発明によれば、ベース部材の回止め部材を不動部位に対し嵌合させることで、ベース部材が巻取軸の回転部位と一緒に回転してしまうのを防ぐことができる。
【００２３】
更に、第三の発明によれば、回止め部材と不動部位との嵌合状態や、開閉装置用後付け駆動ユニットの周方向位置を良好にするために、回止め部材の周方向位置を調整することができる。
【００２４】
更に、第四の発明によれば、既設の開閉装置における巻取軸が上記開閉装置用後付け駆動ユニットを装着不能な態様である場合であっても、その巻取軸を交換用巻取軸に交換し、回転駆動源をセットすれば、回転駆動源の動力によって開閉体が開閉動作する開閉装置とすることができる。
【００２５】
更に、第五の発明によれば、巻取軸支持アダプターを不動部位に固定し、該アダプターを開閉装置用後付け駆動ユニットに挿通させた際に、巻取軸支持アダプターが開閉装置用後付け駆動ユニットよりも交換用巻取軸側に突出する。
したがって、巻取軸支持アダプターに対し交換用巻取軸を接続する作業を良好に行うことができる。
【００２６】
更に、第六の発明によれば、既設の開閉装置を回転駆動源の動力によって開閉動作可能な開閉装置にする作業を、効率的に行うことができる。
【発明を実施するための最良の形態】
【００２７】
以下、本発明の実施の形態を図面に基づいて説明する。
本実施の形態は、住宅やビル、倉庫、工場、地下街、トンネル、車両の荷台等の構築・構造物の開口部分や、構築・構造物の内部に配設され、前記開口部分を開閉したり、構築・構造物内部の空間を仕切ったり開放したりする所謂シャッター装置に適用可能であり、特に好ましいとして窓用シャッター装置に適用した一例について説明する。
【００２８】
図１に示す開閉装置１は、当初、手で持ち上げて開閉体１０を開放し、手で下げるようにして開閉体１０を閉鎖する手動開閉式の窓用シャッター装置であったが、本発明に係わる開閉装置用後付け駆動ユニット装着セットＡを装着することで、開閉体１０を電動で開閉する電動開閉式の窓用シャッター装置として用いられる。
より詳細に説明すれば、この開閉装置１は、空間を仕切ったり開放したりするようにして開閉動作する開閉体１ａと、該開閉体１ａをその幅方向の両端側で開閉方向へ案内するガイドレール１ｂ，１ｂと、該開閉体をその開放方向側で収納したり繰り出したりする収納ケース１ｃとを備える。
そして、この開閉装置１は、収納ケース１ｃ内の図示しない巻取軸が外され、開閉装置用後付け駆動ユニット装着セットＡが装着されることによって、開閉体１ａを電動で巻き取ったり繰り出したりする構造に改良されている。
【００２９】
開閉装置用後付け駆動ユニット装着セットＡは、図３に示すように、開閉装置用後付け駆動ユニット１０と、該開閉装置用後付け駆動ユニット１０の駆動回転体１１に接続可能な回転駆動源２０と、該開閉装置用後付け駆動ユニット１０の従動回転体１２が接続可能な交換用巻取軸３０と、該交換用巻取軸３０を不動部位に固定するための巻取軸支持アダプター４０とを備えている。
【００３０】
開閉装置用後付け駆動ユニット１０は、回転駆動源２０の出力軸２１に接続可能な駆動回転体１１と、該駆動回転体１１から無端輪状動力伝達部材１５を介して回転力を伝達される従動回転体１２と、これら駆動回転体１１と従動回転体１２とをそれぞれ回転可能に支持するベース部材１３とを具備し、駆動回転体１１およびベース部材１３を、交換用巻取軸３０に対し略同軸状に配設するようにしている。
【００３１】
駆動回転体１１と従動回転体１２は、図４に示すように、回転比が異なるスプロケット状に形成され、これら両回転体１１，１２には、所謂チェーンである無端輪状動力伝達部材１５が巻かれている。
なお、他例としては、これら駆動回転体１１、従動回転体１２、無端輪状動力伝達部材１５を、ベルトとプーリーからなる動力伝達機構や、複数の歯車からなる動力伝達機構に置換することも可能である。
【００３２】
駆動回転体１１は、その外周に無端輪状動力伝達部材１５と係合可能な凹凸部１１ａを有するとともに、後述する回転駆動源２０の出力軸２１を嵌合するための複数の接続部１１ｂを有する。
【００３３】
また、従動回転体１２は、その中心側に後述する巻取軸支持アダプター４０を挿通可能な貫通孔１２ａを有する環状を呈し、その外周には、無端輪状動力伝達部材１５と係合可能な凹凸部１２ｂを有し、また、交換用巻取軸３０側（図２における右側）の側面には、交換用巻取軸３０を接続するための被接続部１２ｃ，１２ｃを有する。
【００３４】
これら被接続部１２ｃ，１２ｃは、図示例によれば、軸対称に二つ配設されている。各被接続部１２ｃは、開閉装置１の開閉動作に伴って回転する交換用巻取軸３０に連結されるように、断面略コ字枠状に突設されている。
【００３５】
また、この従動回転体１２における交換用巻取軸３０と逆側（図２における右側）の側面は、凹状に形成され、環状のベアリング部材１４が嵌め合わせられている。このベアリング部材１４は、耐摩耗性の良好な合成樹脂材料を環状に成形し、その内周面を摺接面としたものであり、他例としてはボールベアリングとすることも可能である。
【００３６】
また、ベース部材１３は、駆動回転体１１及び従動回転体１２を支持するための基部１３ａと、回転駆動源２０を支持するための駆動源支持部１３ｂと、基部１３ａに止着された回止め部材１３ｃとからなる。
【００３７】
基部１３ａは、図示例によれば、その上部側に、ベアリング部材１４の内周面に摺接させるための環状突部１３ａ１を有するとともに、該環状突部１３ａ１の中心側に、後述する巻取軸支持アダプター４０を挿通するための貫通孔１３ａ２を有し、更に、該貫通孔１３ａ２内に回止め部材１３ｃを止着するための止着部１３ａ３を有する。
【００３８】
前記回止め部材１３ｃは、その上部側に、複数の止着孔１３ｃ１を交換用巻取軸３０の周方向へわたるように配設してなり、これら止着孔１３ｃ１が、適宜選択され、ネジやボルト等の止着具によって基部１３ａの止着部１３ａ３に止着されるようになっている。
そして、この回止め部材１３ｃの下部側は、略板状に形成され、後述する巻取軸支持アダプター４０に対し凹凸状に嵌合する。
【００３９】
また、この基部１３ａの下部側には、駆動回転体１１を回転自在に支持するための軸部１３ｄが突設され、更に該軸部１３ｄよりも下側に、回転駆動源２０を支持する支持ブラケット５０を止着するための断面略Ｌ字状の止着部１３ｅを有する。
【００４０】
また、この基部１３ａには、不動部位に対し固定されるように、止着孔１３ｆが形成されている。この止着孔１３ｆは、図示した好ましい一例によれば、基部１３ａの下部側に単数配設されているが、他の箇所に配設してもよいし、複数設けるようにしてもよい。
【００４１】
上記構成のベース部材１３には、その環状突部１３ａ１にベアリング部材１４を介して従動回転体１２が支持され、軸部１３ｄに駆動回転体１１が支持される。そして、これら従動回転体１２および駆動回転体１１に無端輪状動力伝達部材１５が巻かれた状態で、その従動回転体１２側の部分が蓋部材１６によって覆われる。
【００４２】
蓋部材１６は、無端輪状動力伝達部材１５を駆動回転体１１側へ挿通させるようにして従動回転体１２を覆う環状に形成され、その中央側の貫通孔１６ａに、従動回転体１２の被接続部１２ｃ、及び巻取軸支持アダプター４０を挿通させる。
この蓋部材１６は、ネジやボルト等の止着具によって、外周側がベース部材１３に対し止着される。
【００４３】
また、回転駆動源２０は、その内部に、回転電動機、該電動機の出力を適宜の回転数及びトルクにて伝達する動力伝達機構（例えば歯車機構等）、該動力伝達機構の回転力を外部へ出力する出力軸２１等を備える。出力軸２１は、外部へ露出され、その突端側が、駆動回転体１１に対し回転力を伝達可能な凹凸状に形成されている。
この回転駆動源２０は、出力軸２１が駆動回転体１１に接続された状態で、ベース部材１３の止着部１３ｅに止着された支持ブラケット５０上に載置され、ネジやボルト等の止着具によって固定される。
【００４４】
また、交換用巻取軸３０は、巻取軸支持アダプター４０に対し接続される固定軸３１と、該固定軸３１に対し回動自在に支持された複数の支持円盤３２と、これら支持円盤３２の外周側に軸方向へわたるように固定された複数の連結棒３３と、固定軸３１の周囲に配設されるとともに固定軸３１に対し支持円盤３２及び連結棒３３を巻き取り方向へ回転させるコイルスプリング３４とを具備し、支持円盤３２及び連結棒３３の周囲に開閉体１ａを巻き付けるように構成される。
【００４５】
固定軸３１は、図示例によれば金属製パイプ材からなり、その一端側が巻取軸支持アダプター４０の突端側部分に対し環状に接続され、ネジやボルト等の止着具等によって止着されるようになっている。この固定軸３１における図示しない他端側は、開閉装置１の収納ケース１ｃ内に不動に固定される。
【００４６】
また、支持円盤３２は、ベアリング等を介して、固定軸３１に対し回動自在となるように支持されている。
この支持円盤３２は、固定軸３１の軸方向へわたって所定間隔置きに複数配設され、特に開閉装置用後付け駆動ユニット１０側においてはその配設ピッチが他の箇所よりも短く設定されている。すなわち、開閉装置用後付け駆動ユニット１０から伝達される回転力に耐え得るように、支持円盤３２の配設ピッチが短く設定されている。
【００４７】
また、連結棒３３は、上記複数の支持円盤３２間を連結するようにして、支持円盤３２の外周側に固定された棒状部材であり、図示例によれば、軸対称に二本配設されている。
各連結棒３３の一端側は、固定軸３１の軸方向最端部側の支持円盤３２よりも開閉装置用後付け駆動ユニット１０側へ突出することで、交換用巻取軸３０と従動回転体１２とを接続するための接続部３３ａとなっている。
【００４８】
また、コイルスプリング３４は、その一端側が固定軸３１に止着されるとともに他端側が支持円盤３２に止着されることで、固定軸３１に対し支持円盤３２を巻取り方向へ付勢している。
【００４９】
また、巻取軸支持アダプター４０は、固定軸３１によって接続される被接続部４１と、開閉装置１の収納ケース１ｃを構成する側部カバー１ｃ１１（図５参照）に支持ブラケット１ｃ１２を介して固定される固定部４２とからなる。
【００５０】
被接続部４１は、略円柱状を呈し、前記側部カバー１ｃ１１に止着された際の開閉装置用後付け駆動ユニット１０よりも交換用巻取軸３０側に、ネジやボルト等の止着具によって固定軸３１を止着するための止着孔４１ａを有する。
【００５１】
また、固定部４２は、図示例によれば、略立方体状に形成されるとともに、その側部カバー１ｃ１１側に、開閉装置用後付け駆動ユニット１０の回止め部材１３ｃを上方から嵌め合わせるための切欠部４２ａを有する。また、この固定部４２の側面には、側部カバー１ｃ１１側の支持ブラケット１ｃ１２に対しネジやボルト等の止着具によって止着するための止着孔４２ｂを有する。
【００５２】
次に、上記開閉装置用後付け駆動ユニット装着セットＡを、手動開閉式に構成された開閉装置に対し組み付ける手順について、詳細に説明する。
先ず、手動開閉式に構成された開閉装置から図示しない巻取軸が取り外される。
【００５３】
そして、図５（ａ）に示すように不動部位である支持ブラケット１ｃ１２に対し巻取軸支持アダプター４０が装着される。
支持ブラケット１ｃ１２は、収納ケース１ｃの側部カバー１ｃ１１に固定された断面略コ字枠状のブラケットであり、手動式開閉装置の巻取軸の固定軸（図示せず）が直接接続されるように構成されている。
支持ブラケット１ｃ１２に装着された巻取軸支持アダプター４０は、ボルトとナット等の止着具によって不動に固定される。
【００５４】
次に、図５（ａ）に示すように、側部カバー１ｃ１１から突出する巻取軸支持アダプター４０に対し、開閉装置用後付け駆動ユニット１０が環状に装着されるとともに、ベース部材１３の回止め部材１３ｃが巻取軸支持アダプター４０の切欠部４２ａに嵌め合せられる。
この際、必要に応じて、回止め部材１３ｃと前記切欠部４２ａとの嵌合状態をより良好にする場合や、開閉装置用後付け駆動ユニット１０の周方向位置を調整したい場合等には、ベース部材１３の回止め部材１３ｃを、一旦取り外し周方向位置をずらして再度止着すればよい。
【００５５】
そして、開閉装置用後付け駆動ユニット１０は、ネジ等の止着具によって開閉装置１側部カバー１ｃ１１に固定される。
この状態では、図５（ｂ）に示すように、開閉装置用後付け駆動ユニット１０における蓋部材１６および従動回転体１２の中心側から、巻取軸支持アダプター４０の被接続部４１が突出する。
【００５６】
次に、開閉装置用後付け駆動ユニット１０における従動回転体１２の被接続部１２ｃ，１２ｃに対し、交換用巻取軸３０の接続部３３ａ，３３ａが接続されるとともに、巻取軸支持アダプター４０の被接続部４１に対しては同交換用巻取軸３０の固定軸３１が接続される。
そして、巻取軸支持アダプター４０における被接続部４１と固定軸３１とは、ネジやボルト等の止着具によって固定される。この際、前記被接続部４１の止着孔４１ａが開閉装置用後付け駆動ユニット１０の蓋部材１６よりも交換用巻取軸３０側に位置するため、その止着作業を容易に行うことができる。
【００５７】
次に、開閉装置用後付け駆動ユニット１０におけるベース部材１３の止着部１３ｅに対し、ネジやボルト等の止着具によって支持ブラケット５０が止着される。
その後、支持ブラケット５０上に回転駆動源２０が載置されるとともに、該回転駆動源２０の出力軸２１が駆動回転体１１に接続され、そして、該回転駆動源２０と支持ブラケット５０とがネジやボルト等の止着具によって固定される。
【００５８】
而して、上記構成の開閉装置用後付け駆動ユニット装着セットＡ及びその装着方法によれば、一体的に構成された開閉装置用後付け駆動ユニット１０を装着する作業であるため、例えば側部カバー１ｃ１１に対し駆動回転体１１や従動回転体１２を支持するための軸部材を個々に固定するような作業を必要とせず、その作業性が良好である。
【００５９】
なお、上記実施の形態によれば、手動式開閉装置の巻取軸（図示せず）を交換用巻取軸３０に交換するようにしているが、手動式開閉装置に、上記交換用巻取軸３０と略同構成の巻取軸が具備されている場合には、交換用巻取軸３０を交換しないようにすることも可能である。
【００６０】
また、上記実施の形態によれば、手動式開閉装置を、開閉装置用後付け駆動ユニット装着セットＡによって電動式開閉装置に改良する手順を示しているが、電動式開閉装置の電動機構が故障した際等に、該電動機構を、当該開閉装置用後付け駆動ユニット装着セットＡによって置き換えるようにしてもよい。
【図面の簡単な説明】
【００６１】
【図１】本発明に係わる開閉装置用後付け駆動ユニット装着セットを装着した開閉装置の一例を示す斜視図である。
【図２】同開閉装置の一例を示す要部断面図である。
【図３】本発明に係わる開閉装置用後付け駆動ユニット装着セットの斜視図である。
【図４】本発明に係わる開閉装置用後付け駆動ユニットの分解斜視図である。
【図５】本発明に係わる開閉装置用後付け駆動ユニット装着セットを開閉装置に組み付ける手順の一例を、（ａ）〜（ｂ）に順次に示す斜視図である。
【符号の説明】
【００６２】
１：開閉装置
１ａ：開閉体
１ｃ１２：支持ブラケット（不動部位）
１１：駆動回転体
１２：従動回転体
１３：ベース部材
１３ｃ：回止め部材
２０：回転駆動源
２１：出力軸
４０：巻取軸支持アダプター
Ａ：開閉装置用後付け駆動ユニット装着セット
【図１】
2008138399.tif 000003
【図２】
2008138399.tif 000004
【図３】
2008138399.tif 000005
【図４】
2008138399.tif 000006
【図５】
2008138399.tif 000007